(57)【特許請求の範囲】
【請求項１】
固形のオイルパステルを三角柱に形成するとともに、前記三角柱の底面が有する角の少なくとも２つの角の角度が異なるように形成したことを特徴とする壁紙補修剤。
【請求項２】
前記三角柱の底面が有する３つの角の角度が全て異なるように形成したことを特徴とする請求項１に記載の壁紙補修剤。
【請求項３】
前記三角柱の底面が有する３つの角が、いずれも９０度以下となるように形成したことを特徴とする請求項１または請求項２に記載の壁紙補修剤。
【請求項４】
前記三角柱の一側面から、該一側面の長手方向に対して垂直または斜め方向に切れ目を入れたことを特徴とする請求項１、請求項２または請求項３に記載の壁紙補修剤。
【請求項５】
前記三角柱の底面が有する３つの角のうち、最も大きい角度の角と対向する側面から切れ目を入れたことを特徴とする請求項４に記載の壁紙補修剤。
【発明の詳細な説明】
【技術分野】
【０００１】
本発明は壁紙補修剤に関し、特に、壁紙の合断ちの部分に生じた隙間や壁紙の傷などの補修に使用される補修剤に用いて好適なものである。
【背景技術】
【０００２】
従来、壁紙としては、紙製の基材上に塩化ビニル樹脂層を形成し、この塩化ビニル樹脂層の上に印刷などにより絵柄層を設けたもの、あるいは、上記塩化ビニル樹脂層を発泡させると共にエンボス加工を施すなどして凹凸模様を形成したものなど、塩化ビニル壁紙と呼ばれる壁紙シートが広く用いられている。
【０００３】
このような壁紙シートを住宅などの壁に貼り付ける際には、壁紙シートを適当な長さに切断し、それを横に並べて貼付する。この貼付の際、隣り合う壁紙シートの繋ぎ目の部分は、合断ちと呼ばれる方法によって切断する。合断ちとは、図４に示すように、繋ぎ合わせる２枚の壁紙シート１００ａ、１００ｂを数ｃｍ重ね合わせて壁面に貼付し、重なった部分の略中央（一点鎖線で示す）を切断することにより、繋ぎ目を隙間なく確実に貼付するための一般的な方法である。
【０００４】
しかしながら、上述した合断ちによって貼付された壁紙シートは、施工当初は壁面に隙間なく貼付することが可能であるが、時間の経過と共に、家屋の歪みや壁紙シートの伸縮などが原因となって、合断ちの部分に隙間が生じることがあった。また、上述した合断ちの部分の隙間以外にも、壁紙シートを使用しているうちに、壁紙シートに傷が付いたり、穴が開いたりすることがあった。
【０００５】
本出願人は、このような問題に鑑みて、壁紙シートの合断ちの部分に生じた隙間、壁紙シートの傷や穴などを補修するための壁紙補修剤を発明し、特許出願をした（例えば、特許文献１参照）。この特許文献１に記載の壁紙補修剤は、塩化ビニル樹脂、プロピレングリコールモノメチルエーテルアセテート、酢酸エチル、増粘剤などから成る液体の補修剤をペン本体に収容して構成したものである。
【特許文献１】特開２００５−８２６７２号公報
【発明の開示】
【発明が解決しようとする課題】
【０００６】
しかしながら、特許文献１の壁紙補修剤は、液体の補修剤をペン本体に収容したものであるため、ペン先を下に向けないと使用しづらいという問題がある。従って、ペン先を下に向けて作業することのできない壁面の高所や天井などの壁紙シートの合断ち部分に生じる隙間や小さな傷、穴などの補修を行うには、上記液体の壁紙補修剤は適していなかった。
【０００７】
また、実際に補修を行う隙間や傷、穴などの幅はさまざまであるのに対し、上述の壁紙補修剤が収容されたペン本体のペン先は太さが固定されている。そのため、使用者は補修箇所の幅に応じたペン先を持つペン本体を使い分けなければならず、使い勝手の悪いものであった。
【０００８】
本発明は、このような問題を解決するために成されたものであり、従来の壁紙補修剤では使用しづらかった壁面の高所や天井などの場所においても簡単に使用することができ、また、補修を行う隙間や傷、穴などのさまざまな幅に広く対応することのできる使い勝手のよい壁紙補修剤を提供することを目的とする。
【課題を解決するための手段】
【０００９】
上記した課題を解決するために、本発明では、固形のオイルパステルを三角柱に形成するとともに、該三角柱の底面が有する３つの角のうち少なくとも２つが異なる角度となるように形成する。
【発明の効果】
【００１０】
上記のように構成した本発明の壁紙補修剤は、固形であるので、従来のように液体の壁紙補修剤をペン本体の中に入れる必要がない。そのため、ペン本体の中で液体の補修剤が移動するという問題は生じない。従って、補修剤が収容されたペン本体とは異なり、ペン先の上下の向きを問わず壁紙補修剤を使用でき、壁面の高所や天井などの補修であっても簡単に作業を行うことができる。
また、三角柱の角度が異なる角を、さまざまな幅の隙間や傷、穴などに合わせて使い分けることができる。これにより、１つの壁紙補修剤でさまざまな幅の隙間や傷、穴などに対応することができるため、使い勝手がよくなり、補修作業の作業効率を向上させることができる。
【発明を実施するための最良の形態】
【００１１】
（第１の実施形態）
以下、本発明の第１の実施形態を図面に基づいて説明する。図１は、第１の実施形態に係る壁紙補修剤１の構成例を示す図である。図１に示すように、本実施形態の壁紙補修剤１は、固形のペン体として構成されている。
【００１２】
壁紙補修剤１の主な成分はワックス、オイル、体質顔料および顔料である。ワックスは、壁紙補修剤１を棒状に成型し、紙や壁に書けるようにするための基材であり、例えば、カルナバロウや木ロウを用いることができる。オイルは、壁紙補修剤１を滑らかな書き味にするためのものであり、例えば、硬化油やヤシ油を用いることができる。体質顔料は、壁紙補修剤１の硬さ調整および油じみ防止のためのものであり、例えば、酸化チタンや炭酸カルシウムを用いることができる。また、顔料は、壁紙補修剤１の色をつけるためのものであり、所望の色に応じて加えられる。
【００１３】
なお、上記した壁紙補修剤１の成分は一例に過ぎない。例えば、公知のオイルパステルと同様の成分を用いて壁紙補修剤１を構成することが可能である。
【００１４】
このような成分よりなる壁紙補修剤１の形状は、図１に示すように、三角柱に形成する。ここで、壁紙補修剤１の３つの側面２（２−１〜２−３）は平行四辺形の形状をしており、２つの平行な底面３（３−１、３−２）は三角形の形状をしている。そして、隣り合う２つの側面２により形成される角、すなわち底面３が有する３つの角の角度は、その少なくとも２つが異なるように形成する。好ましくは３角の全てが異なるように形成する。更に好ましくは、３角のいずれも９０度以下となるように形成する。この理由については後述する。
【００１５】
次に、壁面補修剤１の寸法について説明する。図２は、壁面補修剤１の寸法の一例を示す図である。ここでは、一方の底面３−１を形成する三角形の３つの角をＡ、Ｂ、Ｃで表し、他方の底面３−２を形成する三角形の３つの角をＡ´、Ｂ´、Ｃ´で表すものとする。
【００１６】
図２に示す壁面補修剤１においては、底面３の角Ａ、Ａ´を９０度、角Ｂ、Ｂ´を３０度、角Ｃ、Ｃ´を６０度としている。また、９０度の角Ａ、Ａ´と対向する辺ＢＣ、Ｂ´Ｃ´の長さを３０ミリメートル、３０度の角Ｂ、Ｂ´と対向する辺ＡＣ、Ａ´Ｃ´の長さを１５ミリメートル、６０度の角Ｃ、Ｃ´と対向する辺ＡＢ、Ａ´Ｂ´の長さを２６ミリメートルとしている。また、壁紙補修剤１の形状である三角柱の高さ、すなわち平行する底面３−１、３−２間の距離ＡＡ´（＝ＢＢ´＝ＣＣ´）は１００ミリメートルとしている。
【００１７】
なお、上述の寸法は、単なる例に過ぎない。壁紙補修剤１の持ちやすさ、使いやすさを考慮すれば、３０度の角Ｂ、Ｂ´と対向する辺ＡＣ、Ａ´Ｃ´の長さが５〜２０ミリメートルであることが好ましい。そして、これに対応して、６０度の角Ｃ、Ｃ´と対向する辺ＡＢ、Ａ´Ｂ´の長さは７.０７１〜２８.２８４、９０度の角Ａ、Ａ´と対向する辺ＢＣ、Ｂ´Ｃ´の長さは１０〜４０ミリメートルとなることが好ましい。また、上述の角度も単なる一例に過ぎない。３つの角の少なくとも２つの角が異なっていれば、他の角度に形成することも可能である。
【００１８】
次に、壁紙補修剤１の作用について説明する。使用者は、壁紙の合断ちの部分に生じた隙間や傷、穴などの補修を行う場合、壁紙補修剤１の端部４や底面３の一辺もしくは全面（以下、端部４等と記す。）を隙間や傷、穴などに接触させて塗布する。ここで、端部４は、壁紙補修剤１の隣り合う二つの側面２といずれか一方の底面３の合計３面により形成される先端部位である。
【００１９】
壁紙補修剤１は固形であるため、天井や壁面の高所などの補修を行う場合であっても、従来のようにペン先の上下を気にすることなく、どの端部４等を用いても簡単に作業を行うことができる。また、図２に示す一例のように、底面３の３つの角をそれぞれ３０度、６０度、９０度と差をつけて形成することで、端部４の鋭さに変化をもたせることができるため、補修を行う隙間や傷、穴などの幅に合わせて使用者が端部４等を使い分けることも可能となる。例えば、幅の狭い場所を補修する場合には角度が鋭いところ、図２では角度が３０度の端部４を選択して使用し、幅の広い場所を補修する場合には角度が６０度の端部４、さらに幅の広い場所には角度が９０度の端部４、というように端部４を選択して使用することができる。
【００２０】
ここで、底面３の有する３つの角のうち２つの角度が異なっていれば補修箇所の幅に応じて使い分けが可能となる。しかし、３角がすべて異なる角度であれば、補修箇所の幅に対応できる端部４のバリエーションが多くなるのでより好ましい。また、大きい角は作業がしづらいうえ、そのような角をもつ形状は、使用者にとって持ちにくいものとなる。従って、３角のいずれも９０度以下となるように形成することが更に好ましい。
【００２１】
以上詳しく説明したように、第１の実施形態によれば、壁紙補修剤１を固形のペン体として構成したことにより、天井や壁面の高所などのようにペン先を下に向けることのできない場所であっても簡単に使用することができる。また、壁紙補修剤１の形状を三角柱とし、少なくとも２つの角の角度を異ならせたことで、補修を行う隙間や傷、穴などの幅に応じて壁紙補修剤１の端部４を選択して使用することができる。これにより、１つの壁紙補修剤１でさまざまな幅の補修箇所に対応できることとなり、使い勝手がよく、使用者の作業効率を向上させることができる。
【００２２】
（第２の実施形態）
図３は、第２の実施形態に係る壁紙補修剤１０の構成例を示す図である。なお、図３において、図１に示した構成要素と同一の構成要素については、同一の符号を付して説明を省略する。
【００２３】
第２の実施態様の壁紙補修剤１０は、第１の実施態様の壁紙補修剤１と同様の成分にて構成されており、また、形状も第１の実施形態の壁紙補修剤１と同様に三角柱である。第２の実施形態の壁紙補修剤１０は、図３に示すように、切れ目１１を有する点で第１の実施形態の壁紙補修剤１と異なる。
【００２４】
ここで、切れ目１１は、壁紙補修剤１の一側面から入れたものである。切れ目１１は、一側面の長手方向に対して垂直または斜め方向から入れる。そして、切れ目１１は所要の間隔で、一つもしくは複数入れるものとする。なお、壁紙補修剤１には、切れ目１１が入らない結合部分１２を残すようにする。
【００２５】
また、切れ目１１の深さおよび厚みは以下のようにすることが好ましい。まず、深さについて説明する。後述するように、この壁紙補修剤１０は、切れ目１１に沿って、その切れ目１１に区切られた各部分毎に、順次使用者が折ることができるよう構成されている。切れ目１１の深さが十分でなく、浅い切れ目１１であった場合に、壁紙補修剤１０を折ると、結合部分１２に凹凸が生じてしまい、細かい隙間や傷などの補修に使いづらい形状となってしまう。従って、使用者が通常の力で壁紙補修剤１０を切れ目１１に沿って折ったときに、結合部分１２がその切れ目１１に沿って平らになるよう、切れ目１１の深さを設定することが望ましい。
【００２６】
さらに、補修の作業を行ってゆくと、壁紙補修剤１０はだんだんと減ってゆく。作業中に、磨耗が切り目１１に到達してしまうと、作業中に壁紙補修剤１０が折れてしまい、作業の妨げになる。従って、通常の作業で減りうる壁紙補修剤１０の量を加味して、切れ目１１の深さを設定する必要がある。また、切れ目１１を深く入れすぎると、作業中に使用者が壁紙補修剤１０を壁面等に押し付ける力で壁紙補修剤１０が折れてしまい、作業がしづらくなる。この点を加味して、通常使用しうる使用者の力で折れてしまうことのない深さに設定することが望ましい。
【００２７】
次に、厚みについて説明する。厚みは、使用者が壁紙補修剤１０を折る通常の力を加えたときに、切れ目１１に沿って折ることができればどのような厚みであっても構わない。しかし、あまりに厚みがありすぎると、通常の作業中に折れやすくなってしまうため、材質等も考慮し、厚みを設定することが望ましい。また、深さに対する厚みの割合も考慮する必要がある。すなわち、切れ目１１が深い場合には浅い場合に比べて、切れ目１１の厚みがありすぎると折れやすくなるからである。
【００２８】
なお、切れ目１１は、作業中に加わる使用者の力等の外力で、切れ目１１から壁紙補修剤１０が折れてしまうことがないよう、最も大きな角度の角と対向する側面２から入れることが好ましい。すなわち、前記図２を用いて説明すれば、９０度の角Ａ、Ａ´と対向する側面２−3から切れ目１１を入れ、角Ａ、Ａ´側を結合部分１２とすることが好ましい。最も大きい角度を結合部分１２とした場合は、これより小さい角度を結合部分とした場合よりも外力に耐えうるため、壁紙補修剤１０が、作業中により折れにくくなる。
【００２９】
次に、壁紙補修剤１０の切れ目１１の作用について説明する。まず、使用者は壁紙補修剤１０の端部４等を補修箇所に塗布して補修作業を行うことになるが、これにより壁紙補修剤１０の端部４等は作業が進むにつれて丸みをおびることとなる。そうすると、この丸みをおびた壁紙補修剤１０は、細かい隙間や傷などに対しては使いにくくなる。このような場合に、使用者が切れ目１１側から結合部分１２を折るように力を加えることで、丸みをおびて不要となった端部４等を壁紙補修剤１０から取り除くことができる。これにより、使用者はカッター等の刃物を使用して壁紙補修剤１０を削ることなく、平らな底面３を得ることができ、新たに先のとがった端部４等にて補修作業を行うことができる。
【００３０】
以上説明したように、第２の実施態様では壁紙補修剤１０に切れ目１１を入れたことにより、先が丸まった端部４等を即座に取り除き、新たなとがった端部４等により作業を行うことができるため、使い勝手がよくなり、より作業効率を向上させることができる。
【００３１】
なお、本実施形態の壁紙補修剤は、その底面の形状が三角形以外の多角形でもよいが、多角形では９０度以上の角度が増えて細かい部分の補修に使いづらくなる。また、星型などの先の鋭い形状とした場合も、作業中に折れやすくなるため、使いづらい。このため、壁紙補修剤の底面の形状は三角形が好ましい。
【００３２】
その他、前記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００３３】
本発明は、壁紙シートの合断ちの部分に生じた隙間、壁紙シートの傷や穴などの補修に使用される壁紙補修剤に有用である。
【図面の簡単な説明】
【００３４】
【図１】第１の実施形態に係る壁紙補修剤の構成例を示す図である。
【図２】壁紙補修剤の寸法の一例を示す図である。
【図３】第２の実施形態に係る壁紙補修剤の構成例を示す図である。
【図４】壁紙の合断ちを示す図である。
【符号の説明】
【００３５】
１  壁紙補修剤
２  側面
３  底面
４  端部
１０  壁紙補修剤
１１  切れ目
１２  結合部分
【図１】
0004677317.tif 000002
【図２】
0004677317.tif 000003
【図３】
0004677317.tif 000004
【図４】
0004677317.tif 000005